(57)【要約】      （修正有）【課題】グリップ内に写真や絵などの広報用印刷物を内蔵することができ、内蔵された印刷物の内容を外見で見られるグリップが透明なゴルフクラブを提供する。【解決手段】シャフト１０の全周囲または一部分を被覆して把持感および打球感を高め衝撃を緩和し得るように弾性重合体物質からなるシート層２０と、このシート層２０を保護するコーティング膜層３０、３０’と、シート層２０を外部から確認し得る程度に光線を通過させ中間にシャフト１０が挿入される空洞４００を備えた一体性形体である透明体層４０の結合でグリップＧがなることにより、シート層２０に斑や滲みが全くなく、所持者の住所や氏名などを記入して置くことができるため、ゴルフクラブの主人を容易に分かり、弾性重合体物質を利用したシート層２０と多数の微細な突起が形成された薄い透明コーティング膜層３０、３０’および特殊素材からなる透明体層４０によりグリップが柔らでありながらも滑らないため、把持力と感触が良く、特に、個人が低廉な費用で容易に各種の行事や記念のための写真および／または特定内容をグリップ内に内蔵し得る利点がある。【選択図】図５
0003105424.tif 000002
【実用新案登録請求の範囲】
【請求項１】
ゴルフクラブのシャフト末端にその周囲を囲むように形成されるゴルフクラブのグリップにおいて、
前記グリップ（Ｇ）が前記シャフト（１０）の全周囲または一部分を被覆し把持感および打球感を高め衝撃を緩和し得るように弾性重合体物質からなるシート層（２０）と、このシート層（２０）を外部から確認し得る程度に光線を通過させる透明体層（４０）の結合でなり、
前記透明体層（４０）はシャフト（１０）が挿入されて確固に結着される空洞（４００）を備えた一体成型体であることを特徴とするグリップが透明なゴルフクラブ。
【請求項２】
前記シート層（２０）と透明体層（４０）との間にシート層（２０）を保護するコーティング膜層（３０）がさらに備えられることを特徴とする請求項１記載のグリップが透明なゴルフクラブ。
【請求項３】
前記コーティング膜層（３０）が圧着されてその表面に多数の微細な突起が形成されたことを特徴とする請求項２記載のグリップが透明なゴルフクラブ。
【請求項４】
前記透明体層（４０）はポリウレタン樹脂；エチレン、プロピレン、非共役系ジエンからなる合成ゴム（ＥＰＤＭ）または該合成ゴム（ＥＰＤＭ）にスチレンブタジエンゴム、フタル酸ジオクチル、天然ゴムがさらに含まれた合成ゴム；またはエチレン−酢酸ビニル共重合体であることを特徴とする請求項１または２記載のグリップが透明なゴルフクラブ。
【請求項５】
前記透明体層（４０）に香料がさらに添加されてなることを特徴とする請求項４記載のグリップが透明なゴルフクラブ。
【請求項６】
前記透明体層（４０）に抗菌ナノ素材がさらに添加されてなることを特徴とする請求項５記載のグリップが透明なゴルフクラブ。
【考案の詳細な説明】
【技術分野】
【０００１】
本考案はグリップが透明なゴルフクラブに関し、より詳細にはグリップが結合されるシャフトの表面に図形・文字が印刷されたシート層が形成され、該シート層の表面にコーティング膜層が形成され、その上には透明体からなるグリップが嵌められて、シート層が保護されるのみならず、シート層に印刷された内容を外見でより鮮明に確認し得るグリップが透明なゴルフクラブに関する。
【背景技術】
【０００２】
ゴルフクラブのグリップは手で掴み易く滑らないように形成されなければならないため、大部分細く長い帯またはバンド形状のゴムまたは合成樹脂材の被覆材を用いてシャフト周囲を螺旋状に一定厚さ積層して形成している。
【０００３】
このような被覆材積層方式で形成されたグリップは多くの労働力を必要とし、また、被覆材を予め適当な長さに準備して巻いても巻付力・巻付位置および間隔などの因子により準備された被覆材が残るか足らない現象が頻繁に起こった。それで、最近にはグリップの表面に凹凸を一体的に形成して把持力を高めるのみならず滑らなく弾性が優れるように製造した成型物が多く適用されている。
【０００４】
このようなゴルフクラブのグリップは、運動時に手の汗などにより容易く汚れる部分であるため、前記のとおり被覆材により巻かれて形成されるのであるが、成型により形成されたものが全て不透明であり、黒色または藍色などの濃い色で製造されるのが一般的である。
【０００５】
しかし、ゴルフクラブのうちでもグリップ部分は人の視線が最も多く注がれる部分であるため、各製造社では会社のロゴや商品名などの広報用文字や図形を陽刻または陰刻に成型してその出所を知らせている。
【０００６】
このように商号が陽刻または陰刻によりその上に立体的に刻まれたゴルフクラブのグリップを製作するには多くの費用が所要されるため、製作者が会社の広報のために一時に多量生産をする場合に限り可能であるのみ、個人的には前記の方法を適用することができなかった。それで、たまに一般人達や官庁で競技大会や特別な行事を記念するためにゴルフクラブを贈り物にまたは寄贈しようとするとき、そのグリップの外見表面上に記念になる絵や文字が印刷されたスティッカーを付着して各種の大会や行事の意味を表出したりした。
【０００７】
しかし、この場合、運動をすることにより手の汗がグリップに多く付くため、スティッカーは長い間付着されていなく今し方剥がれ出ると共に、スティッカーの裏面の接着剤が手に付き粘々しくなって不快感を与える欠点があった。
【０００８】
一方、既存のグリップは黒色・藍色・灰色などの無彩色のゴム材質からなるグリップであって、ゴルファーがゴルフクラブを容易く掴むことができなくゴルフ球を打つとき滑ったり捩れたりした。それで、グリップの外部表面に溝・突起・ラインなどを設けるか糸などを混合して製作することにより、スウィング時にゴルフクラブがゴルファーの手から抜け出られないようにグリップの表面を荒く作った。
【０００９】
しかし、このように作られた既存のグリップは材質の特性上容易く磨耗され、磨耗されたグリップは滑り易くなりゴルフスコアに差し支えを招来してグリップを屡交替しなければならないため、経済的に損失が多大であった。
【考案の開示】
【考案が解決しようとする課題】
【００１０】
本考案者は当業界に多年間携わる中で、ゴルフクラブグリップの内部に多様な印刷物を内蔵して外部から見られるようにすれば、製作および販売会社の広報効果を得られるのみならず、個人の身上や記念になる内容物を内蔵する場合、ゴルフクラブの紛失を防止することができ、また、長い間行事の意味を記憶することができるため、実際非常に実があるように適用し得るであろうとの点に着目して本考案のゴルフクラブのグリップを開発するに至った。
【００１１】
すなわち、本考案の主要目的は、既存の典型的なゴルフクラブグリップの形態から脱皮してゴルフクラブグリップの基本的な構造は応用するが、そのグリップ自体を光が完全に透過するよう透明に製作することにより、簡単な方式で特定の絵または写真を内部に容易く内蔵することができ、また、外部から見られるようにして、ほとんど半永久的に変質しなく保有し得る新たな構造のグリップが透明なゴルフクラブを提供することにある。
【００１２】
本考案の別の目的は、磨耗強度・引張強度・延伸率が高い素材を用いて作った透明グリップあって柔らで把持感が良く手に掴まれて滑らないのみならず耐磨耗性が大きいため、屡交替する必要がない優れた物性を有するグリップが透明なゴルフクラブを提供することにある。
【００１３】
本考案のまた別の目的は、グリップ内部に挿入されて内蔵されるシート層の素材として弾性重合体物質を用い、薄い透明コーティング層の表面に微細な突起を形成することにより、把持感および打球感を高め衝撃を緩和し得るグリップが透明なゴルフクラブを提供することにある。
【００１４】
また、本考案は透明なグリップに香料および／または抗菌ナノ素材をさらに添加することにより、芳しく爽快な気分を感じることができ、衛生的な無菌グリップでゴルフを楽しむことができるグリップが透明なゴルフクラブを提供するのが本考案のまた別の目的である。
【課題を解決するための手段】
【００１５】
前記のごときこれら目的は、本考案のグリップが透明なゴルフクラブを提供することにより達成されるところ、本考案によるグリップが透明なゴルフクラブは、ゴルフクラブのシャフト末端にその周囲を囲むように形成されるゴルフクラブのグリップにおいて、前記グリップがシャフトの全周囲または一部分を被覆して把持感および打球感を高め衝撃を緩和し得るよう弾性重合体物質からなるシート層と、このシート層を外部から確認し得る程度に光線を通過させる透明体層の結合でなり、前記透明体層はシャフトが挿入されて確固に結着される空洞を備えた一体性形体であることを特徴とする。
【００１６】
本考案によるグリップが透明なゴルフクラブは、前記シート層と透明体層との間にシート層を保護するコーティング膜層がさらに備えられたことを特徴とする。
【００１７】
また、本考案のグリップが透明なゴルフクラブは、前記コーティング膜層が圧着されてその表面に多数の微細な突起が形成されたことを特徴とする。
【００１８】
本考案のグリップが透明なゴルフクラブによれば、前記透明体層がポリウレタン樹脂；エチレン（ethylene）、プロピレン（propylene）、非共役系ジエン（non-conjugated diene）からなる合成ゴム（ＥＰＤＭ）または該合成ゴム（ＥＰＤＭ）にスチレンブタジエンゴム（styrene butadiene rubber）、フタル酸ジオクチル（dioctyl phthalate）、天然ゴム（natural rubber）がさらに含まれた合成ゴム；または酢酸ビニル共重合体（ＥＶＡ：Ethylene-Vinyl Acetate copolymer)であることを特徴とする。
【００１９】
また、本考案のグリップが透明なゴルフクラブは、前記透明体層が香料および／または抗菌ナノ素材をさらに添加してなることを特徴とする。
【００２０】
本考案でのグリップを成す透明体層は、無色または淡い色相で着色されるが、光線を全部透過してその内部に挿入されたシート層が完全に見られるよう透明に形成され、ジイソシアネートとグリコールとの重付加反応、ビスカルバミン酸エステルとグリコールとのエステル交換反応、ジアミンと炭酸エチレンとの反応またはビスウレタンとジアミンとの反応などにより形成され、通常のポリエーテル型とポリエステル型の２種類ポリウレタン樹脂が適用される。また、実質的に前記透明体層は射出成型などの一体成型方式によりシャフト挿入用の空洞がある円筒体で構成される。
【００２１】
前記シャフトとシート層およびコーティング膜層と透明体層は、夫々通常のシート状でなる両面テープまたは液状の無色透明な接着剤により全体的にまたは部分的に相互結合されて固定され、前記シート層は各種の公共行事のための記念用写真や製作および／または販売所の商号を表示するロゴや図形または個人の住所や氏名が直接印刷されるか前記内容が記録された印刷物を表面にし、その裏面に接着剤が塗布されてなる。
【考案の効果】
【００２２】
本考案によるグリップが透明なゴルフクラブは、グリップの内部に多様な印刷物を内蔵して外部から見られるようにすることにより、製作および販売会社の広報効果を得られるのみならず、個人の身上や記念になる内容物を内蔵する場合、ゴルフクラブの紛失を防止することができ、また、長い間行事の意味を記憶することができる。
【００２３】
また、本考案のグリップが透明なゴルフクラブは、構造が簡単であるため製作が容易であり、低廉な費用で製造することができる利点があり、何よりも個人が低廉な費用で容易に各種の行事や記念のための写真または特定内容をグリップ内に内蔵することができるので、実用性が多大である。
【００２４】
特に、本考案は印刷されたシート層に透明で薄いコーティング層が形成されてシート層の表面に斑や印刷された内容の滲みが全然なく、シート層と印刷された内容が変形されるか捻られなく半永久的に元の状態を維持することができるため、結果的に透明グリップ内部に内蔵されたシート層の状態を良くして品質を高めることができる利点がある。
【００２５】
また、本考案のグリップが透明なゴルフクラブは、柔らでありながらも滑らなく、グリップを握るとき感触が良く、耐磨耗性が大きいためグリップを頻繁に取り替える必要がない。
【００２６】
なお、本考案のグリップが透明なゴルフクラブは、グリップ内部に挿入されて内蔵される弾性重合体物質を利用したシート層と多数の微細な突起が形成された薄い透明コーティング膜層により把持感および打球感を高め、衝撃を緩和させる効果がある。
【００２７】
しかも、本考案のグリップが透明なゴルフクラブは、グリップが透明で香りを漂わす無菌グリップであって、香りが芳しく爽快な気分でゴルフを楽しむことができる。
【考案を実施するための最良の形態】
【００２８】
以下、添付図面を参照して本考案によるグリップが透明なゴルフクラブの構造および望ましい実施の形態を詳細に説明すると次のとおりである。
【００２９】
図１はグリップが透明なゴルフクラブの一態様を示す斜視図であり、図２は本考案によるグリップが透明なゴルフクラブの第１実施例を示す図１のＡ−Ａ線断面図であり、図３は本考案によるグリップが透明なゴルフクラブの第２実施例を示す図１のＡ−Ａ線断面図であり、図４は本考案によるグリップが透明なゴルフクラブの製造工程を段階別に示す断面図であり、図５（ａ）は本考案によるグリップが透明なゴルフクラブの第３実施例を示す図１のＡ−Ａ線断面図であり、図５の（ｂ）は（ａ）の要部拡大説明図である。
【００３０】
図１〜図５に示したとおり、本考案によるグリップが透明なゴルフクラブのグリップＧは、シャフト１０の末端が挿し込まれる適当な大きさの空洞４００を備えた透明体層４０とシャフト１０が人為的には分離が不可能に確固に結合される。
【００３１】
すなわち、本考案のグリップが透明なゴルフクラブによる第１実施例の構成を図２を参照して説明すると、前記グリップＧはその内部にシャフト１０が位置し、該シャフト１０の外周面にシート層２０が形成される。前記シート層２０は接着剤層１１により前記シャフト１０に付着されるが、前記接着剤層１１は両面テープのようなシート（sheet）状の接着材により形成されるか液状の接着剤を塗布して形成される。
【００３２】
前記シート層２０が形成されたシャフト１０は、透明体層４０の空洞４００内に挿し込まれて接着剤層３１により結合される。前記シャフト１０と透明体層４０を結合させる接着材は、両面テープのようなシート状の接着材または液状の接着剤を塗布して接着体層３１を形成することができ、前記接着剤層３１はシート層２０の表面または前記透明体層４０の内周面に選択的に接着剤を塗布して形成することができる。
【００３３】
接着剤層３１が形成された後、直ちにシャフト１０を透明体層４０内に挿し込むとシート層２０の表面や前記透明体層４０の内周面に形成された接着剤層３１によりシャフト１０が空洞４００の底まで達しなく中間に接着されて固まるようになる。したがって、シャフト１０を透明体層４０の空洞４００内に挿し込む前にシンナーなどのような揮発性が強い溶剤（solvent）５０を前記接着剤層３１または透明体層４０の内周面に噴霧または塗布して接着剤層３１の粘度を一時的に低めて滑らかに挿し込まれるようにする。ここで、前記揮発性が強い溶剤の代わりに錆防止成分を含有したオイル、すなわち、防錆油を用いるとシャフトに錆が付く（発生する）ことが防止されながら接着剤層３１の粘度もまた一時的に低下してシャフトがグリップに良く嵌められる。
【００３４】
前記噴霧または塗布された溶剤５０により透明体層４０の空洞４００内に摩擦なく滑らかに挿し込まれた前記シャフト１０は、所定時間放置すると溶剤５０が蒸発して接着剤層３１が固まり、前記シャフト１０はシート層２０と共に透明体層４０に固着されて運動による衝撃にも位置が変動するか損傷することなくそのままの位置に維持されるよう堅固に結合される。
【００３５】
前記シート層２０には特別な行事や観光名所などを表示する写真や絵、製作および／または販売所の商号や商標、その他特定人の所持を示す住所や氏名などの広報内容が直接印刷されるか広報内容が記録された印刷物が付着される。
【００３６】
前記シート層２０は、従来に用いられたとおり、紙を用いることもできるが、グリップＧを握ったときの把持感および球がゴルフクラブのヘッドＨに当たったときの手に伝えられる打球感を高め衝撃を緩和させるために、本考案では前記シート層２０を構成する材料として弾性ゴム（vulcanized rubber）、弾性繊維（elastic fiber）またはダンピングホイル（damping foil）などのような弾性重合体物質（elastomeric material）を用いる。前記弾性重合体物質をシート層２０に用いることにより、スイング後ゴルフクラブのシャフト１０からグリップＧへの衝撃伝達が抑制されて手に加えられる衝撃と損傷を減少させ、結果的にスイング感を向上させる効果を期待することができる。
【００３７】
本考案の第２実施例は前記第１実施例を改良したもので、図３を参照すると、前記写真・絵・図形・文字などが印刷されるか広報内容が記録された印刷物が付着されているシート層２０の表面上に前記印刷された内容とシート層２０を保護するために薄く透明なコーティング膜層３０が形成される。このような構成は、第１実施例のとおり、シャフト１０にシート層２０が形成され、該シート層２０の表面に接着剤３１が塗布された状態でシャフト１０を透明体層４０内に嵌め入れたとき、透明体層４０の空洞４００内に前記シャフト１０が滑らかに挿し込まれるよう接着剤３１の粘度を一時的に低下するため、前記接着剤３１上にシンナーなどの揮発性が強い溶剤を噴霧または塗布するが、前記溶剤がシート層２０に染み込み印刷された内容が滲みたり斑が生じて広報内容が鮮明に表示されなく外観が見苦しくなり、または前記溶剤により接着剤３１が毛羽立ったりひとかたまりになって痕が生じたり、接着剤３１の滓が溜まって最終のグリップが設置された状態で凹凸部位が生じるなどの発生可能な問題点を防止するためのものである。
【００３８】
すなわち、前記シート層２０の印刷された表面にプラスチックフィルムを被せてコーティング膜層３０を形成することにより、シャフト１０を透明体層４０の空洞４００内に挿入する前に接着剤層３１上に噴霧または塗布される溶剤５０により印刷された内容が滲むか斑が生じないように防止されるのみならず、空洞４００の内周面との摩擦によりシート層２０が押されるか破れないようになる。なお、前記コーティング膜層３０はその表面が平らで均等であるため、透明体層４０との結合のための空洞４００内への挿入が容易である。
【００３９】
このように、前記シート層２０に印刷された内容を保護し美麗な光沢を出すコーティング膜層３０は、無色または淡い色相に着色されるが、光線が全て透過してその内部に印刷された内容が完全に見られるよう透明に形成され、ポリプロピレン（Ｐ．Ｐ．）、ポリ塩化ビニル（ＰＶＣ）、ラミネーティングフィルムなどのような素材が適用される。
【００４０】
前記コーティング膜層３０の形成は、直接印刷されているか広報内容が記録された印刷物が付着されているシート層２０の表面に薄いビニール膜を被覆し、加熱ローリング工具で加熱・加圧するか接着剤で付着するなど通常の多様なコーティング方法を利用することができる。前記コーティング膜層３０はシャフト１０に付着されたシート層２０上にコーティング膜層３０を形成することができるが、予めシート層２０の表面にコーティングを施してコーティング膜層３０が形成されたシート層２０をシャフト１０に付着すると工程が一層簡便になる。
【００４１】
一方、本考案の第３実施例として、図５の（ａ）および（ｂ）を参照すると、本考案のグリップが透明なゴルフクラブは把持感および打球感を一層高めるために必要によって前記コーティング膜層３０の表面に微細な突起を多数形成することもできる。なお、図５の（ｂ）は、図５の（ａ）の要部Ｘの拡大説明図である。コーティング膜層３０の表面を圧着して多数の微細な突起を形成することにより、前記弾性重合体物質からなるシート層２０と共にスイング感を一層高めることができる。しかも、表面に多数の微細な突起が形成されたコーティング膜層３０は、平らな表面より摩擦面が小さいため、透明体層４０との結合のための空洞４００内への挿入がもっと容易である。
【００４２】
前述のとおりにして前記シャフト１０にコーティング膜層３０を備えるシート層が被覆されると、前記シャフト１０は透明体層４０と結合される。この際、用いられる透明体層４０はシリコン、ウレタン、ＰＶＣ複合素材、ゴムなどとその他の透明素材が適用され、射出成型など一体成型方式によりシャフト挿入用空洞４００がある円筒体で構成される。前記透明体層４０を構成する素材としては、特に把持するとき感触が良く滑らないよう適当な弾性と高い摩擦抵抗があり大量射出成型が可能なポリウレタン樹脂やエチレン、プロピレン、非共役系ジエンからなる合成ゴム（ＥＰＤＭ）、該合成ゴム（ＥＰＤＭ）にスチレンブタジエンゴム、フタル酸ジオキチル、天然ゴムがさらに含まれた合成ゴムまたはエチレン−酢酸ビニル共重合体（ＥＶＡ）からなる透明な素材を適用するのが望ましい。
【００４３】
本考案のグリップが透明なゴルフクラブに適用するに望ましい前記４種の素材で作られた透明体（Ｉ、II、III、IV）を米国材料試験協会（Ａ．Ｓ．Ｔ．Ｍ．；American Society of Testing Materials）の標準方法によりその物性を測定した結果は次のとおりである（ただし、Ｉ：ポリウレタン樹脂、II：合成ゴム（ＥＰＤＭ）、III：合成ゴム（ＥＰＤＭ）とスチレンブタジエンゴム、フタル酸ジオクチル、天然ゴムの混合物、IV：エチレン−酢酸ビニル共重合体（ＥＶＡ））。
【００４４】
【表１】
0003105424.tif 000003
【００４５】
また、本考案による前記４種の素材で作られた透明体（Ｉ、II、III、IV）グリップの摩擦係数、硬度、引張強度値を測定して、それらの平均値と一般的に用いられるゴムグリップの摩擦係数、硬度、引張強度値を比較して表２に示した。
【００４６】
【表２】
0003105424.tif 000004
【００４７】
前記表１および表２の二つの測定結果から分かるとおり、本考案による素材で作られた透明体層４０は、硬度が優れて容易に磨耗されることも破れることもなく、生産単価が低いため製品の経済性が良いのみならず、感触が良く、把持と復元力が優れ、滑らなく柔らである。また、手に汗が出たり雨天時にグリップに水分が浸透しないため、グリップが毛羽立ったり捩れなく、元の形体を維持するため、手袋を嵌めなくてもスイングをすることができるので、ゴルファーが正確な打球感を感じることができ、インパクト時に力の伝達が良好である。
【００４８】
また、前記透明体層４０は、光線が全て透過してその内部に挿入されたシート層２０が完全に見られるよう透明に形成されるが、無色または淡い色相に着色することができる。シート層２０に印刷された内容がより鮮明に透視されるようにするためには透明体層４０を構成する素材をより透明でソフトにするのが好ましい。
【００４９】
一方、前記透明体層４０に薔薇の香り、薄荷の香りなどの香料や抗菌ナノ素材をさらに添加すると、グリップＧを握るとき芳しい香りが漂って、汗と塵に因る汚れに細菌が棲息し易いグリップＧを清潔に維持することができる。
【００５０】
前記のごとき構造で形成される本考案のグリップが透明なゴルフクラブは、図３を参照して最適の実施例をまとめると、先ず、シャフト１０末端の周囲に接着剤１１を塗布して広報用写真・絵・図形・文字が印刷されるか広報内容が記録された印刷物が付着されるシート層２０を付着し、その上にコーティング膜層３０、３０’を形成するかまたは予め印刷されたシートの表面に透明で薄いビニールコーティングを施すことにより、コーティング膜層３０、３０’が既に形成されたシート層２０を準備してシャフト１０の末端に付着した後、その上にさらに接着剤を噴霧するかシート上に接着剤を積層して接着剤層３１を形成し、揮発性が強い溶剤５０を前記接着剤層３１や透明体層４０の空洞４００内周面に噴霧または塗布した後、前記空洞４００内に挿し込み所定時間乾燥させると、前記透明体層４０が前記シート層２０およびコーティング膜層３０、３０’と共にシャフト１周囲に堅固に固着されて完成する。
【００５１】
したがって、本考案のグリップが透明なゴルフクラブによれば、前記コーティング膜層３０、３０’により溶剤５０がシート層２０に吸収されないため、斑や滲みが全くないので、印刷された部分が鮮明に顕われて意図した美感が充分に表現され、特に、材質が弾性重合体物質からなるシート層２０により把持感と打球感は勿論、衝撃緩和効果が一層高くなった。また、前記コーティング膜層３０、３０’はその表面の密着性により透明体層４０が滑らかに挿入されて、より堅固に結合されることができた。
【図面の簡単な説明】
【００５２】
【図１】グリップが透明なゴルフクラブの１態様を示す斜視図である。
【図２】本考案によるグリップが透明なゴルフクラブの第１実施例を示す図１のＡ−Ａ線断面図である。
【図３】本考案によるグリップが透明なゴルフクラブの第２実施例を示す図１のＡ−Ａ線断面図である。
【図４】本考案によるグリップが透明なゴルフクラブの製造工程を段階別に示す断面図である。
【図５】(ａ)は本考案によるグリップが透明なゴルフクラブの第３実施例を示す図１のＡ−Ａ線断面図であり、（ｂ）は（ａ）の要部拡大説明図である。
【符号の説明】
【００５３】
Ｇ    グリップ
Ｈ    ヘッド
１０    シャフト（shaft）
２０    シート層
３０、３０’  コーティング膜層
４０    透明体層
１１、３１    接着剤層
５０    溶剤（solvent）
４００    空洞
【図１】
0003105424.tif 000005
【図２】
0003105424.tif 000006
【図３】
0003105424.tif 000007
【図４】
0003105424.tif 000008
【図５】
0003105424.tif 000009